(57)【要約】【課題】圧力計の測定可能範囲のうち使用圧力範囲を容易に変更可能であり使用圧力範囲の視認性を向上する。【解決手段】圧力計１０は指針２３と目盛板２２とを有し、ケース１３の正面壁１１には圧力目盛に沿って円弧状に延びる使用圧力表示部材３１が摺動自在に設けられ、使用圧力表示部材３１には第１の表示部３５が設けられている。正面壁１１に回動自在に装着された透明カバー２６には、一端側に第２の表示部３７が設けられた非透明の遮蔽部３６が設けられている。透明カバー２６により使用圧力表示部材３１を駆動することにより、第１の表示部３５と第２の表示部３７との間であって透明カバー２６を介して外部に観察される使用圧力範囲が設定される。【選択図】図２
2010185666.tif 000002
【特許請求の範囲】
【請求項１】
流体の圧力に応じた角度で回動する指針と、前記指針の回動軌跡に沿って前記指針により指示される圧力目盛が付された目盛板とを有する圧力計であって、
前記目盛板と前記指針とを備え、流体の圧力に応じて前記指針を回動させる圧力測定器が設けられた圧力計本体と、
前記目盛板を外部に露出させる円形の案内孔が形成され、前記圧力計本体に装着される正面壁と、
前記圧力目盛に沿って円弧状に延びるとともに一端側に第１の表示部が設けられ、前記案内孔に沿って前記正面壁に摺動自在に装着される使用圧力表示部材と、
前記案内孔に回動自在に装着され前記使用圧力表示部材と前記目盛板を覆う透明カバーと、
前記圧力目盛に沿って円弧状に延びて前記透明カバーに設けられ、一端側に第２の表示部が設けられた非透明の遮蔽部と、
前記透明カバーに設けられ、前記使用圧力表示部材に設けられた従動用の爪部に当接して前記使用圧力表示部材を追従回動させる駆動用の爪部とを有し、
前記透明カバーを介して前記使用圧力表示部材を一方向に回動させて前記第１の表示部の位置を設定し、前記透明カバーを逆方向に回動させて前記第２の位置を設定することを特徴とする圧力計。
【請求項２】
請求項１記載の圧力計において、前記透明カバーに回動操作用の操作部を設けることを特徴とする圧力計。
【請求項３】
請求項１または２記載の圧力計において、前記透明カバーに前記駆動用の爪部を複数個設け、それぞれの前記駆動用の爪部を前記正面壁の背面側に係合させて前記駆動用の爪部により前記透明カバーを前記正面壁に回動自在に装着することを特徴とする圧力計。
【発明の詳細な説明】
【技術分野】
【０００１】
本発明は流体圧機器に供給された流体の圧力を測定するとともに、流体圧機器に供給される流体の使用圧力範囲の表示を任意の範囲に設定し得る圧力計に関する。
【背景技術】
【０００２】
空気圧源から空気圧シリンダ等のアクチュエータに圧縮空気を供給する空気圧回路は、流路を切り換える切換弁、圧力を調整する圧力制御弁、圧縮空気中のゴミや水分等を除去するフィルタ、およびこれらを連結する配管等の流体圧機器を有している。同様に油圧源から油圧アクチュエータに油圧を供給する油圧回路にも圧力制御弁等の流体圧機器を有している。このように空気圧や油圧により作動するアクチュエータを駆動するための流体圧回路を構成する流体圧機器には流体の圧力を測定するために圧力計が使用されている。
【０００３】
圧力計には指針により測定圧力をアナログ表示するようにしたタイプがあり、このタイプにはブルドン管を用いたブルドン管式圧力計が多用されている。指針が設けられたアナログ式の圧力計は、種々の流体圧回路に対して使用することができるように、指針により指示される目盛板の圧力目盛としては、圧力計として測定可能範囲の目盛が付されている。例えば、空気圧回路に使用される圧力計の場合には、最小値の０ＭPaから最大値の数ＭPaまでの測定可能範囲の目盛が付されている。しかしながら、実際の空気圧回路に使用される空気の圧力は、圧力計が測定可能とする圧力範囲よりも狭い範囲で使用される場合が多い。例えば、圧力計としては最大１．０ＭPaまで測定可能であっても、その圧力計が使用される空気圧回路においては０．４から０．６ＭPaの使用圧力範囲の流体圧が使用されることがある。その場合には、空気圧回路を構成する各空気圧機器に使用圧力範囲となった空気圧が供給されているか否かを作業者が圧力計を見て確認することになる。
【０００４】
流体圧機器に供給される使用圧力範囲を表示するようにした圧力計が特許文献１，２に記載されている。
【先行技術文献】
【特許文献】
【０００５】
【特許文献１】特許第３７１７６２１号公報
【特許文献２】特公平６−５２２１５号公報
【発明の概要】
【発明が解決しようとする課題】
【０００６】
特許文献１に記載された圧力計は、測定可能範囲の目盛が付された透明の円板と、これを保持する非透明の保持部材とにより形成されて指針を覆う前面カバーを有している。保持部材と円板との間の隙間には使用圧力範囲の上限値と下限値とに対応させて２つの表示針が移動自在に設けられており、それぞれの表示針は目盛の背面側に配置され前面カバーの背面側に突出している。
【０００７】
このように、測定可能範囲の目盛が付された透明の円板の背面側に表示針を配置すると、表示針が目盛と重なった状態となる。このために、指針が使用圧力の範囲に位置しているか否かを確認するには、上限値と下限値とを表示する表示針を目盛を介して目視する必要があり、一見しただけでは使用圧力範囲の識別が困難であるという問題点がある。また、使用圧力範囲を変更するには、前面カバーを取り外して前面カバーの背面側で表示針の位置を調整する必要があるので、調整した位置が適正な位置となっているかを確認するには、前面カバーを反転させて表面側から表示針の位置と目盛との位置関係を確認する必要があり、使用圧力範囲の変更が面倒である。
【０００８】
一方、特許文献２に記載された圧力計は、測定可能範囲の目盛が付された目盛板と、これの外周部に沿って回動自在に装着された一対の被覆板を有している。目盛板の外周部には表示帯が形成されており、この表示帯を部分的に覆う一対の被覆板を相対回動させることで、表示帯の被覆板に覆われていない部分により使用圧力範囲が表示されるようになっている。
【０００９】
このように、被覆板は目盛板の前方側に配置され、目盛板により被覆板が支持されているため、被覆板の回動操作時に目盛板に負荷がかかり、目盛板が変形や破損するおそれがある。したがって、目盛板を金属材料により形成して目盛板の強度を高めたり、目盛板を必要以上に強固に固定したりする必要があり、目盛板の固定作業の煩雑化やコストアップとなる。
【００１０】
本発明の目的は、圧力計の測定可能範囲のうち使用圧力範囲を容易に変更可能であり使用圧力範囲の視認性を向上することにある。
【００１１】
本発明の他の目的は、使用圧力範囲の設定時に加わる荷重による変形や破損を防止することにある。
【課題を解決するための手段】
【００１２】
本発明の圧力計は、流体の圧力に応じた角度で回動する指針と、前記指針の回動軌跡に沿って前記指針により指示される圧力目盛が付された目盛板とを有する圧力計であって、前記目盛板と前記指針とを備え、流体の圧力に応じて前記指針を回動させる圧力測定器が設けられた圧力計本体と、前記目盛板を外部に露出させる円形の案内孔が形成され、前記圧力計本体に装着される正面壁と、前記圧力目盛に沿って円弧状に延びるとともに一端側に第１の表示部が設けられ、前記案内孔に沿って前記正面壁に摺動自在に装着される使用圧力表示部材と、前記案内孔に回動自在に装着され前記使用圧力表示部材と前記目盛板を覆う透明カバーと、前記圧力目盛に沿って円弧状に延びて前記透明カバーに設けられ、一端側に第２の表示部が設けられた非透明の遮蔽部と、前記透明カバーに設けられ、前記使用圧力表示部材に設けられた従動用の爪部に当接して前記使用圧力表示部材を追従回動させる駆動用の爪部とを有し、前記透明カバーを介して前記使用圧力表示部材を一方向に回動させて前記第１の表示部の位置を設定し、前記透明カバーを逆方向に回動させて前記第２の位置を設定することを特徴とする。
【００１３】
本発明の圧力計は、前記透明カバーに回動操作用の操作部を設けることを特徴とする。本発明の圧力計は、前記透明カバーに前記駆動用の爪部を複数個設け、それぞれの前記駆動用の爪部を前記正面壁の背面側に係合させて前記駆動用の爪部により前記透明カバーを前記正面壁に回動自在に装着することを特徴とする。
【発明の効果】
【００１４】
本発明によれば、透明カバーを一方向に回動させて透明カバーにより使用圧力表示部材を駆動させると第１の表示部の位置が設定され、透明カバーを反対方向に回動させると第２の表示部の位置が設定され、圧力計の測定可能範囲のうち使用圧力範囲が第１と第２の表示部の位置の間により外部に表示される。したがって、透明カバーの回動操作によって容易に使用圧力範囲を変更することができる。
【００１５】
使用圧力表示部材のうち第１と第２の表示部の間の部分が透明カバーを介して外部に観察されるので、使用圧力範囲の視認性が向上し、一見して指針が使用圧力範囲となっているか否かを作業者は確認することができる。
【００１６】
使用圧力範囲を設定する際には、目盛板には外力が加わらないので、目盛板の変形や破損のおそれがなく、圧力計の耐久性を向上させることができる。
【図面の簡単な説明】
【００１７】
【図１】本発明の一実施の形態である圧力計を示す正面図である。
【図２】図１に示した圧力計の正面側から見た分解斜視図である。
【図３】図１に示した圧力計の背面側から見た分解斜視図である。
【図４】透明カバーと使用圧力表示部材が組み付けられた状態における圧力計のケースを示す一部切欠き斜視図である。
【図５】（Ａ）は透明カバーと使用圧力表示部材が組み付けられた状態における圧力計のケースを示す背面図であり、（Ｂ）は（Ａ）における５Ｂ−５Ｂ線拡大断面図である。
【図６】（Ａ）は図５に示す位置よりも透明カバーを所定角度回動させた状態におけるケースを示す背面図であり、（Ｂ）は（Ａ）における６Ｂ−６Ｂ線拡大断面図である。
【図７】（Ａ）は図６に示す位置よりも透明カバーを所定角度回動させた状態におけるケースを示す背面図であり、（Ｂ）は（Ａ）における７Ｂ−７Ｂ線拡大断面図である。
【図８】（Ａ），（Ｂ）は図１に示した圧力計における使用圧力範囲の設定手順を示す正面図である。
【図９】本発明の他の実施の形態である圧力計を示す正面図である。
【図１０】（Ａ）は本発明のさらに他の実施の形態である圧力計における透明カバーと使用圧力表示部材を示す正面側の斜視図であり、（Ｂ）は（Ａ）の背面側の斜視図である。
【図１１】図１０に示した透明カバーと使用圧力表示部材が装着されたケースを示す断面図である。
【図１２】本発明のさらに他の実施の形態である圧力計における透明カバーと使用圧力表示部材とが装着されたケースを示す断面図である。
【発明を実施するための形態】
【００１８】
以下、本発明の実施の形態を図面に基づいて詳細に説明する。この圧力計１０は、図１〜図３に示されるように、四辺形の正面壁１１と上下左右の４つの側壁１２ａ〜１２ｄとを備え、全体的に直方体形状になり、背面側が開口された樹脂製のケース１３を有している。このケース１３内に組み込まれる圧力計本体１４は、図２および図３に示されるように、ケース１３の背面側に突き当てられる樹脂製の支持板１５を有し、支持板１５には圧力測定器１６が設けられている。ケース１３の上下の側壁１２ａ，１２ｂには後方に向けて舌部１７が突出して設けられ、それぞれの舌部１７に対応させて支持板１５には係合突起１８が設けられており、支持板１５をケース１３に突き当てると、舌部１７の係合孔１７ａに係合突起１８が噛み合って圧力計本体１４はケース１３に装着される。
【００１９】
ケース１３の内部には、略円柱状となった圧力測定器１６を収容するために、図２および図３に示されるように、円筒形の収容孔が形成されており、ケース１３の四隅の肉厚は他の部分よりも厚くなっている。
【００２０】
圧力測定器１６は円弧状に曲げられた扁平なブルドン管１９を有しており、この圧力計１０はブルドン管タイプの圧力計となっている。ブルドン管１９はその基端部が支持板１５に固定され、先端部が図示しない機構部に連結されており、ブルドン管１９にはその内部に流体を案内するための流体案内管２０が図３に示されるように取り付けられ、流体案内管２０は支持板１５の背面側から外部に突出している。ブルドン管１９の内部に流体案内管２０を介して供給される流体の圧力によりブルドン管１９の先端部が変位すると、その変位が機構部により拡大されて回動軸２１に伝達される。
【００２１】
支持板１５には円形の目盛板２２が取り付けられており、この目盛板２２には圧力計１０として測定可能範囲の圧力目盛が放射状に付されている。この圧力計１０は測定使用可能範囲が０〜１．０ＭPaであり、圧力目盛に加えて目盛板２２には０．２ＭPa毎に圧力値を示す数字が付されている。回動軸２１には指針２３が取り付けられ、指針２３はブルドン管１９内に案内される流体の圧力に応じた角度で回動する。これにより、指針２３の軌跡に沿って付された圧力目盛を指し示す指針２３の位置によって、測定すべき流体の圧力が外部の観察者に表示される。
【００２２】
図２および図３に示されるように、正面壁１１には円形の案内孔２４が形成されており、ケース１３を圧力計本体１４に装着すると、図１に示されるように案内孔２４を介してケース１３の外部に目盛板２２が現れる。図５〜図７に示すように、正面壁１１には案内孔２４よりも大径の環状凹部２５が形成され、この環状凹部２５内には透明性を有する樹脂材料からなる円形の透明カバー２６が回動自在に装着される。透明カバー２６の背面つまり内面には、図３に示すように、正面壁１１の背面に係合する２つの爪部２７ａ，２７ｂが円周方向に相互に約１８０度ずれて内方に向けて突出して設けられている。それぞれの爪部２７ａ，２７ｂを正面壁１１の背面に係合させることにより、透明カバー２６が正面壁１１から外れることが防止され、透明カバー２６が正面壁１１に回転自在に装着される。透明カバー２６の背面には、図３に示されるように、案内孔２４の内周面に対して隙間を介して対向する円弧状のガイド部２８が２つの爪部２７ａ，２７ｂの間に円周方向に延びて設けられており、ガイド部２８は透明カバー２６の内面から内部に突出している。
【００２３】
透明カバー２６の外面外周部には、図１および図２に示されるように、透明カバー２６を作業者が回動操作される際に操作される操作用の突起２９ａ，２９ｂがそれぞれ操作部として円周方向に相互に約１８０度ずれて外方に突出して設けられており、それぞれの突起２９ａ，２９ｂは爪部２７ａ，２７ｂに対して円周方向に約９０度ずれている。作業者は突起２９ａ，２９ｂに指を押し付けることにより透明カバー２６を回動させることができる。操作部としては、突起２９ａ，２９ｂに代えて凹部を透明カバー２６に設けるようにしても良く、その場合には凹部に工具を引っ掛けることにより透明カバー２６の回動操作が行われる。
【００２４】
正面壁１１には、図５〜図７に示されるように、案内孔２４の内周面と環状凹部２５との間に位置させて案内孔２４の内径よりも大きく環状凹部２５の内径よりも小さい環状凹部３０が形成されている。この環状凹部３０内には図７に示されるように円弧状の使用圧力表示部材３１が案内孔２４に沿って摺動自在に装着されるようになっている。この使用圧力表示部材３１は樹脂製であり、図２および図３に示されるように、透明カバー２６の背面に対向する表示帯部３２と、表示帯部３２の内周面から後方に向けて突出する円弧状のガイド部３３とを有している。円弧状の表示帯部３２は、透明カバー２６の外周部に重なるとともに目盛板２２に付された圧力目盛の径方向外方に位置させて配置されている。
【００２５】
ガイド部３３は、図５および図７に示されるように、透明カバー２６のガイド部２８と案内孔２４との間に組み込まれるようになっており、透明カバー２６の回動に伴って使用圧力表示部材３１が透明カバー２６に対して摺動する際には、ガイド部３３がガイド部２８に案内される。使用圧力表示部材３１が透明カバー２６の内側に設けられているので、透明カバー２６により使用圧力表示部材３１と目盛板２２は覆われており、目盛板２２に付された圧力目盛は透明カバー２６を介して外部から観察されることになる。
【００２６】
使用圧力表示部材３１は、回動中心に対して角度αの範囲に円周方向に延びる長さとなっており、角度αは約１４０度となっている。その基端部には図５に示されるように正面壁１１の背面側に係合する爪部３４が設けられている。爪部３４を正面壁１１の背面に係合させることにより、使用圧力表示部材３１は正面壁１１に摺動自在に装着される。
【００２７】
使用圧力表示部材３１は、外部から圧力計１０を観察したときに、透明カバー２６を介して使用圧力表示部材３１が明瞭に観察されるようにケース１３とは相違した色相の材料により形成されている。例えば、ケース１３を灰色や白色とした場合には、使用圧力表示部材３１を緑色、赤色あるいは黒色等のように、ケース１３とは明瞭に相違した色彩となっている。使用圧力表示部材３１が外部から観察されるのは、表示帯部３２の表面側であり、使用圧力表示部材３１がケース１３に類似した色彩の材料により製造される場合には、表示帯部３２の表面に緑色等のようにケース１３と相違した色彩の塗料が塗布されることになる。この使用圧力表示部材３１の先端面つまり図１における左側の一端部の端面は第１の表示部３５となっており、第１の表示部３５は使用圧力範囲のうち最小値を表示する。
【００２８】
第１の表示部３５を使用圧力表示部材３１の一端面とすることなく、使用圧力表示部材３１の一端部側に放射方向に線を付すことにより第１の表示部３５を形成するようにしても良い。その場合には、使用圧力表示部材３１の色彩をケース１３と同様の色彩とすることができる。また、使用圧力表示部材３１を図示する長さよりも長くし、使用圧力範囲を示す領域のみに色彩を施すようにしても良く、その場合には色彩を施した部分の一端部側の輪郭線が第１の表示部３５となる。
【００２９】
透明カバー２６には、図１〜図３に示されるように、その外周部に圧力目盛に沿って円弧状に非透明の遮蔽部３６が設けられている。この遮蔽部３６は回動中心から使用圧力表示部材３１と同一の位置に設けられ、表示帯部３２に重なるとともに目盛板２２に付された圧力目盛の径方向外方に位置させて設けられている。さらに、遮蔽部３６は回動中心に対して角度βの範囲に円弧状に延びており、角度βは使用圧力表示部材３１に対応させて約１４０度となっている。したがって、透明カバー２６の回動によっては遮蔽部３６により使用圧力表示部材３１全体を覆うことができる。この遮蔽部３６は透明カバー２６の背面に使用圧力表示部材３１の表面の色彩とは相違した色彩の塗料を塗布することにより形成されており、遮蔽部３６は透明部材からなる透明カバー２６の外面から観察される。
【００３０】
遮蔽部３６の色彩は、ケースの色彩に近似した色彩とすることが好ましい。なお、透明カバー２６の表面に塗料を塗布することにより遮蔽部３６を形成するようにしても良く、塗料を塗布することなく、円弧状のテープを透明カバー２６の背面または表面に貼り付けることにより、遮蔽部３６を形成するようにしても良い。
【００３１】
図１および図２に示されるように、正面壁１１の四隅のうち対角線状の２つの隅部には、圧力計１０を取り付けるための図示しないボルトが挿入される取付孔４１が設けられており、支持板１５には取付孔４１に対応して貫通孔４２が設けられている。正面壁１１の取付孔４１の正面側の部分は、ボルトの頭部が入り込む大径孔となっている。
【００３２】
遮蔽部３６の図１における左側の一端部のエッジは第２の表示部３７となっており、第２の表示部３７は使用圧力範囲のうち最大値を表示する。したがって、使用圧力表示部材３１を案内孔２４に沿って摺動させて使用圧力表示部材３１の一端面つまり第１の表示部３５の位置を設定するとともに、透明カバー２６を回動させて遮蔽部３６の一端部のエッジつまり第２の表示部３７の位置を設定すると、使用圧力表示部材３１のうち、遮蔽部３６により覆われない領域つまり、第１の表示部３５と第２の表示部３７との間の領域が透明カバー２６を介して外部に表示される。図１は第１の表示部３５により使用圧力の最小値として０．４ＭPaが表示され、第２の表示部３７により使用圧力の最大値として０．６ＭPaが表示された状態が示されており、この間の圧力値の範囲が使用圧力範囲となる。
【００３３】
透明カバー２６の背面に設けられた爪部２７ａ，２７ｂは正面壁１１の背面に接触し、使用圧力表示部材３１に設けられた爪部３４も正面壁１１の背面に接触している。したがって、透明カバー２６を回動させると、透明カバー２６の爪部２７ａ，２７ｂが使用圧力表示部材３１の爪部３４に当接し、透明カバー２６により使用圧力表示部材３１が案内孔２４に沿って駆動される。このように、透明カバー２６の爪部２７ａ，２７ｂは駆動用の爪部となっており、使用圧力表示部材３１の爪部３４は従動用の爪部となっている。
【００３４】
図１に示されるように、この圧力計１０は測定可能範囲が０〜１．０ＭPaとなっている。この圧力計１０が使用される空気圧回路において、例えば、０．４から０．６ＭPaの圧力が空気圧が使用される場合に、空気圧回路内の圧力がこの範囲内となっているか否かを外部から観察し易くするには、第１の表示部３５と第２の表示部３７との間により外部に表示される使用圧力範囲を設定することになる。
【００３５】
図８は使用圧力範囲の設定手順を示す正面図であり、例えば、図８（Ａ）に示すように第１の表示部３５が０ＭPaの位置となっており、第２の表示部３７が０．２ＭPaの位置となっている状態のもとで、図１に示されるように使用圧力範囲として０．４〜０．６ＭPaの範囲に設定する場合には、まず、作業者が指を突起２９ａ，２９ｂに当てて透明カバー２６を図８（Ａ）において一方向つまり時計方向に回動させる。これにより、駆動用の爪部２７ａが従動用の爪部３４に当接して透明カバー２６により使用圧力表示部材３１が案内孔２４に沿って時計方向に駆動される。図８（Ｂ）は透明カバー２６を時計方向に回動させることにより、第１の表示部３５が０．４ＭPaの位置となるまで使用圧力表示部材３１を透明カバー２６により駆動した状態を示す。この位置まで使用圧力表示部材３１を駆動したときには、駆動用の爪部２７ａが従動用の爪部３４に当接した状態となっている。
【００３６】
この状態のもとで、上述した方向とは逆方向つまり図８において反時計方向に作業者が突起２９ａ，２９ｂを操作して透明カバー２６を回動させると、駆動用の爪部２７ａは従動用の爪部３４から離れて透明カバー２６のみが反時計方向に駆動される。透明カバー２６を第２の表示部３７が０．６ＭPaの位置となるまで回動させると、図１に示すように、使用圧力表示部材３１は第１の表示部３５と第２の表示部３７との間の領域が透明カバー２６を介して外部に現れ、それ以外の領域は遮蔽部３６により覆われることになる。これにより、図１に示すように、第１の表示部３５が０．４ＭPaの位置となり、第２の表示部３７が０．６ＭPaの位置となるので、使用圧力表示部材３１のうち使用圧力範囲が透明カバー２６を介して外部に現れ、図１に示すように、使用圧力範囲が０．４〜０．６ＭPaに設定される。
【００３７】
このように、使用圧力範囲の最小値を第１の表示部３５により表示させるには、第１の表示部３５により表示される最小値よりも第１の表示部３５が低い圧力の位置となった状態のもとでは、透明カバー２６を時計方向に回動させて第１の表示部３５が表示部３５により表示される最小値の位置となるまで使用圧力表示部材３１を回動させる。一方、第１の表示部３５が表示部３５により表示される最小値よりも高い圧力の位置となっているときには、まず、透明カバー２６を反時計方向に回動させて第１の表示部３５により表示される最小値の位置かそれよりも低い圧力の位置に表示部３５が位置するまで使用圧力表示部材３１を駆動させる。このときには、駆動用の爪部２７ｂが従動用の爪部３４に当接して透明カバー２６の回動が使用圧力表示部材３１に伝達される。この状態のもとで、時計方向に透明カバー２６を回動することになる。使用圧力範囲の最小値が第１の表示部３５により表示された後には、上述のように、第２の表示部３７により表示される最大値の位置に設定するために透明カバー２６が時計方向に回動される。
【００３８】
図示する圧力計１０においては、２つの爪部２７ａ，２７ｂが駆動用の爪部として設けられているので、透明カバー２６を時計方向に回動させると爪部２７ａが従動用の爪部３４に当接し、透明カバー２６を反時計方向に回動させると爪部２７ｂが従動用の爪部３４に当接することになる。透明カバー２６の背面に３つの爪部を円周方向等間隔に設けると、爪部３４の円周方向に隣り合う２つの爪部が爪部３４に当接することになり、他の１つの爪部は透明カバー２６を正面壁１１に回動自在に案内する部材として使用される。
【００３９】
図９は本発明の他の実施の形態である圧力計１０を示す正面図であり、この圧力計１０は透明カバー２６に設けられた遮蔽部３６と使用圧力表示部材３１の配置関係が図１に示された圧力計１０とは逆関係となっている。このタイプの圧力計１０においては、使用圧力表示部材３１の第１の表示部３５が使用圧力範囲の最大値を表示し、遮蔽部３６の第２の表示部３７が使用圧力範囲の最小値を表示することになる。したがって、この圧力計１０において使用圧力範囲を設定するには、図１に示された圧力計１０と相違して、透明カバー２６の回動により使用圧力表示部材３１を摺動させて最大値を表示させた後に、透明カバー２６を回動させて最小値を表示させることになる。
【００４０】
図１０は本発明の他の実施の形態である圧力計１０における透明カバー２６と使用圧力表示部材３１を示す斜視図であり、図１０（Ａ）はそれぞれの正面側を示し、図１０（Ｂ）はそれぞれの背面側を示す。図１１は図１０に示された透明カバー２６と使用圧力表示部材３１が組み付けられた状態におけるケースを示す断面図である。
【００４１】
図１０および図１１に示す透明カバー２６の表面には、図１に示された透明カバー２６と相違して操作部として凹部３９ａ，３９ｂが設けられている。したがって、このタイプの圧力計１０においては、透明カバー２６の回動操作は、凹部３９ａ，３９ｂに工具を引っ掛けることにより行われる。凹部３９ａ，３９ｂは、透明カバー２６に貫通孔を形成することによって形成されているが、凹部３９ａ，３９ｂを底付きの孔により形成するようにしても良い。なお、使用圧力表示部材３１の構造は上述した圧力計１０と同様である。
【００４２】
図１０および図１１に示す透明カバー２６の外周面には凸部２６ａが形成されており、環状凹部２５の内周面には凸部２６ａが係合する凹部２５ａが形成されている。したがって、図１に示す圧力計１０のように透明カバー２６を正面壁１１の案内孔２４に回動自在に装着するために複数の爪部２７ａ，２７ｂを設けることなく、透明カバー２６の外周部を環状凹部２５の内周面に嵌め込むことにより、透明カバー２６は正面壁１１に回動自在に装着される。このタイプの圧力計１０においては、１つの爪部２７が駆動用の爪部として透明カバー２６の背面に設けられている。この爪部２７は透明カバー２６を時計方向に回動させた場合、および反時計方向に回動させた場合のいずれにおいても、従動側の爪部３４に当接し、透明カバー２６の回動が使用圧力表示部材３１の摺動に伝達される。ただし、駆動用の爪部としての機能のみを有する爪部２７を図１に示す圧力計１０と同様に透明カバー２６に複数個設けるようにしても良い。
【００４３】
図１２は本発明のさらに他の実施の形態である圧力計１０を示す断面図であり、図１２には圧力計１０のうち図１１と同様の部分が示されている。この圧力計１０の透明カバー２６は、図１０および図１１に示された圧力計１０と相違して、透明カバー２６の外周面には凹部２６ｂが形成されており、環状凹部２５の内周面には凹部２６ｂが係合する凸部２５ｂが形成されている。このように、透明カバー２６の外周部を環状凹部２５に係合させる場合には、透明カバー２６の外周部の形状としては、図１１に示すように凸部としても良く、第１２図に示すように凹部としても良い。
【００４４】
図示する圧力計１０においては、透明カバー２６によってその内側に設けられた使用圧力表示部材３１を駆動するようにしたので、透明カバー２６により使用圧力表示部材３１の第１の表示部３５の位置を設定調整することになる。一方、第２の表示部３７は透明カバー２６に設けられた非透明の遮蔽部３６のエッジにより形成されており、透明カバー２６を回動させることにより第２の表示部３７の位置が設定調整される。このように、使用圧力表示部３１の表示帯部３２のうち２つの表示部３５，３７の間であって透明カバー２６を介して外部に露出して観察される使用圧力範囲は、透明カバー２６の回動操作によって容易に設定することができる。しかも、使用圧力範囲を設定調整する際には、作業者が目盛板２２に触れることがないので、目盛板２２が変形したり、破損したりすることがなく、圧力計１０の耐久性を向上させることができる。
【００４５】
使用圧力範囲は目盛板２２に付された圧力目盛の径方向外方に表示されるので、使用圧力範囲の視認性が向上し、一見して指針２３が使用圧力範囲となっているか否かを外部から観察することができる。
【００４６】
本発明は前記実施の形態に限定されるものではなく、その要旨を逸脱しない範囲で種々変更可能である。例えば、圧力計１０のケース１３には正面壁１１が一体に設けられているが、側壁１２ａ〜１２ｄと支持板によりケースを形成し、そのケースの正面に四辺形の正面壁１１を装着するようにしても良い。また、ケース１３の形状としては、図示するように四角形に限られることなく、円形としても良い。
【符号の説明】
【００４７】
１０      圧力計
１１      正面壁
１３      ケース
１４      圧力計本体
１５      支持板
１６      圧力測定器
１７      舌部
１８      係合突起
１９      ブルドン管
２１      回動軸
２２      目盛板
２３      指針
２４      案内孔
２５      環状凹部
２６      透明カバー
２７，２７ａ，２７ｂ    爪部（駆動用の爪部）
２８      ガイド部
２９ａ，２９ｂ      突起
３０      環状凹部
３１      使用圧力表示部材
３２      表示帯部
３３      ガイド部
３４      爪部（従動用の爪部）
３５      第１の表示部
３６      遮蔽部
３７      第２の表示部
【図１】
2010185666.tif 000003
【図２】
2010185666.tif 000004
【図３】
2010185666.tif 000005
【図４】
2010185666.tif 000006
【図５】
2010185666.tif 000007
【図６】
2010185666.tif 000008
【図７】
2010185666.tif 000009
【図８】
2010185666.tif 000010
【図９】
2010185666.tif 000011
【図１０】
2010185666.tif 000012
【図１１】
2010185666.tif 000013
【図１２】
2010185666.tif 000014